(57)【要約】 【課題】コンテンツを記憶した外部記憶媒体を認識又は認識解除するコンテンツ識別情報表示装置において、ユーザの使い勝手を向上すること。【解決手段】ＤＳＰ５は、コンテンツを記憶しているＵＳＢメモリ５２１を認識する。ＤＳＰ５とシステムマイコン２は、ＵＳＢメモリ５２１に記憶されているコンテンツの一覧を取得する。システムマイコン２は、表示部１０にすでに表示されているコンテンツの一覧と、取得したコンテンツの一覧とを経時的に統合して表示部１０に表示させる。【選択図】図１
2008197718.tif 000002
【特許請求の範囲】
【請求項１】
一又は複数のコンテンツが記憶された外部記憶媒体を認識する認識手段と、
前記認識手段により認識された外部記憶媒体に記憶されている一又は複数のコンテンツ情報を取得する取得手段と、
表示画面上に一又は複数のコンテンツ固有の識別用画像情報を表示する表示手段と、
前記認識手段により前記外部記憶媒体が認識されたとき、前記表示画面にすでに表示されているコンテンツ固有の識別用画像情報に、前記取得手段により取得されたコンテンツ固有の識別用画像情報を経時的に統合して表示させるように前記表示手段の制御を行う制御手段と、
を備えることを特徴とするコンテンツ識別情報表示装置。
【請求項２】
前記制御手段は、更に、前記認識手段による前記外部記憶媒体の認識が解除されたとき、前記表示手段に表示されているコンテンツ固有の識別画像情報の統合表示画面から前記認識が解除された外部記憶媒体のコンテンツ固有の識別画像情報を経時的に分離して消去させるように前記表示手段の制御を行うことを特徴とする請求項１に記載のコンテンツ識別情報表示装置。
【請求項３】
前記表示画面にすでに表示されているコンテンツ固有の識別画像情報と前記取得手段により取得されたコンテンツ固有の識別画像情報との統合は、前記各コンテンツのファイル単位又はフォルダ単位で行うことを特徴とする請求項１又は２に記載のコンテンツ識別情報表示装置。
【請求項４】
前記表示画面にすでに表示されているコンテンツ固有の識別画像情報と前記取得手段により取得されたコンテンツ固有の識別画像情報との統合は、前記各コンテンツ固有の識別画像情報単位でソートすることにより行うことを特徴とする請求項１〜３のいずれか一項に記載のコンテンツ識別情報表示装置。 
【請求項５】
一又は複数のコンテンツが記憶された外部記憶媒体を認識する認識工程と、
前記認識工程により認識された外部記憶媒体に記憶されている一又は複数のコンテンツ情報を取得する取得工程と、
表示画面上に一又は複数のコンテンツ固有の識別用画像情報を表示する表示工程と、
前記認識工程により前記外部記憶媒体が認識されたとき、前記表示画面にすでに表示されているコンテンツ固有の識別用画像情報に、前記取得工程により取得されたコンテンツ固有の識別用画像情報を経時的に統合して表示させるように前記表示工程の制御を行う制御工程と、
を有することを特徴とするコンテンツ識別情報表示方法。
【発明の詳細な説明】
【技術分野】
【０００１】
本発明は、コンテンツ識別情報表示装置及びコンテンツ識別情報表示方法に関する。
【背景技術】
【０００２】
近年、内部メモリ、ＵＳＢ（Universal Serial Bus）メモリを使用したＭＰ３／ＷＭＡ（MPEG Audio Layer-3／Windows Media(登録商標) Audio）等の楽曲ファイルを扱うオーディオ機器が開発されている。
【０００３】
これらのオーディオ機器が、内部メモリ、ＵＳＢメモリ、ＣＤ（Compact Disc）、ＭＤ（Mini Disc）などの複数の記憶媒体に記憶されている楽曲ファイルの再生に対応している場合、ユーザは、聞きたい楽曲がどの記憶媒体に記憶されているか、各記憶媒体に対応するコンテンツの一覧を切り替えて表示させ、楽曲を探す必要があった。このため、ユーザ操作が煩雑であった。
【０００４】
この問題を解決するための技術として、各記憶媒体に記憶されている楽曲ファイル、動画ファイル、画像等のコンテンツをソートし、統一形式で一覧表示する技術が知られている（特許文献１参照）。
【特許文献１】特開２００５−０４４１０４号公報
【発明の開示】
【発明が解決しようとする課題】
【０００５】
しかし、特許文献１の技術は、コンテンツの一覧（コンテンツ固有の識別用画面情報）を表示中、コンテンツ識別情報表示装置が、新たな外部記憶媒体を認識した場合に対応していなかった。そのため、頻繁に認識の対象となるＵＳＢメモリをユーザが使用する場合は、必ずしも使い勝手がいいとは言えなかった。
【０００６】
本発明は、上述の課題に鑑みて為されたものであり、コンテンツを記憶した外部記憶媒体を認識するコンテンツ識別情報表示装置において、ユーザの使い勝手を向上することである。
【課題を解決するための手段】
【０００７】
上記の課題を解決するために、請求項１に記載のコンテンツ識別情報表示装置は、
一又は複数のコンテンツが記憶された外部記憶媒体を認識する認識手段と、
前記認識手段により認識された外部記憶媒体に記憶されている一又は複数のコンテンツ情報を取得する取得手段と、
表示画面上に一又は複数のコンテンツ固有の識別用画像情報を表示する表示手段と、
前記認識手段により前記外部記憶媒体が認識されたとき、前記表示画面にすでに表示されているコンテンツ固有の識別用画像情報に、前記取得手段により取得されたコンテンツ固有の識別用画像情報を経時的に統合して表示させるように前記表示手段の制御を行う制御手段と、
を備えることを特徴としている。
【０００８】
請求項２に記載の発明は、請求項１に記載の発明において、
前記制御手段は、更に、前記認識手段による前記外部記憶媒体の認識が解除されたとき、前記表示手段に表示されているコンテンツ固有の識別画像情報の統合表示画面から前記認識が解除された外部記憶媒体のコンテンツ固有の識別画像情報を経時的に分離して消去させるように前記表示手段の制御を行うことを特徴としている。
【０００９】
請求項３に記載の発明は、請求項１又は２に記載の発明において、
前記表示画面にすでに表示されているコンテンツ固有の識別画像情報と前記取得手段により取得されたコンテンツ固有の識別画像情報との統合は、前記各コンテンツのファイル単位又はフォルダ単位で行うことを特徴としている。
【００１０】
請求項４に記載の発明は、請求項１〜３のいずれか一項に記載の発明において、
前記表示画面にすでに表示されているコンテンツ固有の識別画像情報と前記取得手段により取得されたコンテンツ固有の識別画像情報との統合は、前記各コンテンツ固有の識別画像情報単位でソートすることにより行うことを特徴としている。
【００１１】
請求項５に記載のコンテンツ識別情報表示方法は、
一又は複数のコンテンツが記憶された外部記憶媒体を認識する認識工程と、
前記認識工程により認識された外部記憶媒体に記憶されている一又は複数のコンテンツ情報を取得する取得工程と、
表示画面上に一又は複数のコンテンツ固有の識別用画像情報を表示する表示工程と、
前記認識工程により前記外部記憶媒体が認識されたとき、前記表示画面にすでに表示されているコンテンツ固有の識別用画像情報に、前記取得工程により取得されたコンテンツ固有の識別用画像情報を経時的に統合して表示させるように前記表示工程の制御を行う制御工程と、
を有することを特徴としている。
【発明の効果】
【００１２】
本発明によれば、コンテンツを記憶している外部記憶媒体を認識し、当該外部記憶媒体に記憶されているコンテンツ情報を取得する。そして、すでに表示しているコンテンツ固有の識別用画像情報と、取得したコンテンツ固有の識別用画像情報とを経時的に統合して表示する。そのため、ユーザは、すでに表示されているコンテンツと外部記憶媒体に記憶されているコンテンツとの識別用画像情報を視覚的に確認でき、コンテンツ識別情報表示装置が外部記憶媒体を認識する際、各記憶媒体に対応するコンテンツ固有の識別用画像情報を切り替えて表示させて、コンテンツを探す必要が無くなる。
【００１３】
よって、コンテンツを記憶した記憶媒体を認識するコンテンツ識別情報表示装置において、ユーザの使い勝手を向上することができる。
【発明を実施するための最良の形態】
【００１４】
以下、図１〜９を参照して本発明の実施形態を詳細に説明する。
【００１５】
[コンテンツ識別情報表示装置の構成]
図１に、コンテンツ識別情報表示装置１の構成を示す。コンテンツ識別情報表示装置１は、システムマイコン２、ＣＤメカ部３、アナログセレクタ４、ＤＳＰ（Digital Signal Processor）５、ＡＤＣ（Analog Digital Converter）６、ＤＡＣ（Digital Analog Converter）７、アンプ部８、ＭＤメカ部９、表示部１０、操作部１１及びスピーカ１２を備えて構成される。
【００１６】
システムマイコン２は、アナログセレクタ４、ＣＤメカ部３、ＤＡＣ７、ＤＳＰ５、ＭＤメカ部９及び表示部１０に制御信号を送信する。また、システムマイコン２は、ＣＤメカ部３、操作部１１、ＭＤメカ部９及びＤＳＰ５から制御信号を受信する。
【００１７】
[各機能部の概要]
システムマイコン２は、アナログセレクタ４、ＣＤメカ部３、ＤＡＣ７、ＤＳＰ５、ＭＤメカ部９及び表示部１０を制御する。また、後述するコンテンツの一覧を表示するための制御をＤＳＰ５と協働して行う。
【００１８】
ＣＤメカ部３は、外部記憶媒体であるＣＤを格納し、格納したＣＤからデータを読み出す。ＣＤメカ部３は、当該読み出したデータに基づいて、アナログの音楽信号Ｄａをアナログセレクタ４に、デジタルの音楽信号ＤｄをＤＳＰ５に、ＣＤに記憶されているコンテンツのリスト情報等をシステムマイコン２に送信する。
【００１９】
ＭＤメカ部９は、外部記憶媒体であるＭＤを格納し、格納したＭＤからデータを読み出す。ＭＤメカ部９は、当該読み出したデータに基づいて、アナログの音楽信号Ｄａをアナログセレクタ４に、デジタルの音楽信号ＤｄをＤＳＰ５に、ＭＤに記憶されているコンテンツのリスト情報等をシステムマイコン２に送信する。また、ＭＤメカ部９は、ＭＤに録音するためのアナログの音楽信号Ｄａをアナログセレクタ４から受信する。
【００２０】
アナログセレクタ４は、システムマイコン２からの制御信号に基づき、ＣＤメカ部３やＭＤメカ部９から受信するアナログの音楽信号Ｄａに対して切り替えを行う。アナログセレクタ４は、アナログの音楽信号Ｄａ専用である。アナログセレクタ４は、ＣＤメカ部３、ＭＤメカ部９からのどちらか一方のアナログの音楽信号ＤａをＡＤＣ６に送信する。また、アナログセレクタ４は、ＣＤメカ部３から受信したアナログの音楽信号ＤａをＭＤメカ部９に送信する。
【００２１】
ＡＤＣ６は、アナログセレクタ４から受信したアナログの音楽信号Ｄａをデジタルの音楽信号Ｄｄに変換してＤＳＰ５に送信する。これは、ＤＳＰ５がデジタル信号しか処理できないためである。
【００２２】
ＤＡＣ７は、ＤＳＰ５から受信したデジタルの音楽信号Ｄｄをアナログの音楽信号Ｄａに変換してアンプ部８に送信する。アンプ部８は、ＤＡＣ７から受信したアナログの音楽信号Ｄａを増幅し、スピーカ１２に送信する。そしてスピーカ１２は、アナログの音楽信号Ｄａに基づき音楽を出力する。
【００２３】
ＤＳＰ５は、ＡＤＣ６、ＣＤメカ部３又はＭＤメカ部９から受信したデジタルの音楽信号ＤｄをＤＡＣ７に送信する。また、ＤＳＰ５は、後述するコンテンツの一覧を表示するための制御をシステムマイコン２と協働して行う。
【００２４】
また、ＤＳＰ５は、内蔵メモリ５１、ＵＳＢコントローラ５２を有している。ＵＳＢコントローラ５２はＵＳＢメモリ５２１を着脱可能である。内蔵メモリ５１は、コンテンツを記憶する記憶媒体であり、ＵＳＢメモリ５２１は、コンテンツを記憶する外部記憶媒体である。ＤＳＰ５は、内蔵メモリ５１からコンテンツ情報をデジタルデータとして読み出す。また、ＤＳＰ５は、ＵＳＢメモリ５２１からＵＳＢコントローラ５２を介してコンテンツ情報をデジタルデータとして読み出す。そして、ＤＳＰ５は、読み出したデジタルデータをデジタルの音楽信号ＤｄとしてＤＡＣ７に送信する。
【００２５】
ここで、コンテンツ情報とは、音楽のデジタルデータやコンテンツのファイル名、アーティスト名等の情報の総称である。
【００２６】
また、ＤＳＰ５は、ＣＤ音源と、ＭＤ音源と、内蔵メモリ５１とＵＳＢメモリ５２１の音源との間で音源の切り替えを行う図示しないセレクタを有している。ここで、内蔵メモリ５１とＵＳＢメモリ５２１の音源は、合わせて一つの音源としている。つまり、セレクタは、ＣＤ音源、ＭＤ音源、内蔵メモリ５１とＵＳＢメモリ５２１の音源の３つの音源のうち、一つを選択する。
【００２７】
具体的に、ＣＤ音源を選択すると、ＤＳＰ５は、ＣＤメカ部３からのデジタルの音楽信号ＤｄをＤＡＣ７に送信する。また、ＭＤ音源を選択すると、ＤＳＰ５は、ＭＤメカ部９からのデジタルの音楽信号ＤｄをＤＡＣ７に送信する。内蔵メモリ５１とＵＳＢメモリ５２１の音源を選択すると、ＤＳＰ５は、内蔵メモリ５１又はＵＳＢメモリ５２１に記憶されているデジタルデータに基づくデジタルの音楽信号ＤｄをＤＡＣ７に送信する。
【００２８】
また、ＤＳＰ５は、セレクタによる音源の切り替えに伴い、どの音源に切り替えられたかの情報をシステムマイコン２に送信する。
【００２９】
表示部１０は、ＬＣＤ（Liquid Crystal Display）等によって構成され、システムマイコン２から送信される表示データに基づいて各種情報を表示する。具体的には、コンテンツの一覧等を表示する。
【００３０】
操作部１１は、操作入力キーやタッチパネル等により構成され、押下されたキーに対応する押下信号や、当接されたタッチパネルの位置に対応する位置信号等の操作信号をシステムマイコン２に送信する。
【００３１】
[コンテンツ一覧表示処理]
次に、コンテンツ一覧表示処理について説明する。コンテンツ一覧表示処理は、ＤＳＰ５とシステムマイコン２との協働により行われる。ここで、コンテンツ一覧表示処理とは、コンテンツ識別情報表示装置１が、内蔵メモリ５１に記憶されているコンテンツの一覧と、ＵＳＢメモリ５２１に記憶されているコンテンツの一覧とを、表示部１０に表示する処理をいう。また、コンテンツの一覧とは、コンテンツ固有の識別用画像情報である。
【００３２】
また、コンテンツ一覧表示処理は、コンテンツ一覧作成処理とソート処理を含む。コンテンツ一覧作成処理とは、内蔵メモリ５１又はＵＳＢメモリ５２１に記憶されているコンテンツの一覧を作成する処理である。
【００３３】
コンテンツ一覧作成処理におけるＤＳＰ５とシステムマイコン２の動作について説明する。ＤＳＰ５は、内蔵メモリ５１やＵＳＢメモリ５２１内に記憶されているコンテンツ情報を読み込み、それぞれに識別ＩＤを付ける。そして、システムマイコン２は、ＤＳＰ５からコンテンツ識別情報（識別ＩＤ、ファイル名、アーティスト名等）を取得する。システムマイコン２は、取得したコンテンツの情報に基づいて、コンテンツの一覧の作成を行う。
【００３４】
ソート処理とは、コンテンツ一覧作成処理において作成された内蔵メモリ５１のコンテンツの一覧とＵＳＢメモリ５２１のコンテンツの一覧とを一つのコンテンツの一覧としてデータ統合する処理、当該データ統合したコンテンツの一覧中のコンテンツをソートする処理、及びコンテンツ一覧作成処理において作成されたコンテンツの一覧中のコンテンツをソートする処理である。ソート処理は、システムマイコン２のみの動作によって行われる処理である。
【００３５】
ソート処理が行われた後、システムマイコン２は、このコンテンツの一覧を表示部１０に表示させる。
【００３６】
尚、ソート処理におけるコンテンツのソートは、ファイル名のアルファベット順、アーティスト名のアルファベット順など、どのような方法で行ってもよい。また、コンテンツ一覧作成処理において作成されたコンテンツの一覧は、作成時にすでにアルファベット順などでソートされているとしてもよい。
【００３７】
次に、コンテンツ一覧表示処理について詳細に説明する。図２は、ＵＳＢメモリ５２１接続前のコンテンツ一覧表示処理の概要図である。また、図３は、ＵＳＢメモリ５２１接続後のコンテンツ一覧表示処理の概要図である。
【００３８】
内蔵メモリ５１は、「Ａ.ｗｍａ」、「Ｃ.ｗｍａ」、「Ｅ.ｗｍａ」の３つのファイルを記憶している。ＵＳＢメモリ５２１は、「Ｂ.ｗｍａ」、「Ｄ.ｗｍａ」の２つのファイルを記憶している。
【００３９】
まず、図２を用いてＵＳＢメモリ５２１接続前のコンテンツ一覧表示処理の具体例を示す。ＤＳＰ５内のセレクタによって、内蔵メモリ５１とＵＳＢメモリ５２１の音源に音源が切り替えられたら、ＤＳＰ５は、内蔵メモリ５１に記憶されている３つのファイル「Ａ.ｗｍａ」、「Ｃ.ｗｍａ」、「Ｅ.ｗｍａ」を読み込み、「Ａ.ｗｍａ」に「Ｍ−ＩＤ１」、「Ｃ.ｗｍａ」に「Ｍ−ＩＤ２」、「Ｅ.ｗｍａ」に「Ｍ−ＩＤ３」と認識ＩＤを付加する。
【００４０】
そして、システムマイコン２は、内蔵メモリ５１に記憶されているコンテンツ（ファイル）のコンテンツ識別情報をＤＳＰ５から取得し、アルファベット順で、「Ａ.ｗｍａ（Ｍ−ＩＤ１）／Ｃ.ｗｍａ（Ｍ−ＩＤ２）／Ｅ.ｗｍａ（Ｍ−ＩＤ３）」のようにコンテンツの一覧を作成する。システムマイコン２は、コンテンツの一覧の作成時にアルファベット順でコンテンツをソートしているので、「ソート処理」においては何も行わない。そして、システムマイコン２は、このソートされたコンテンツの一覧を表示部１０に表示させる。
【００４１】
次に、図３を用いてＵＳＢメモリ５２１接続後のコンテンツ一覧表示処理の具体例を示す。ＵＳＢコントローラ５２にＵＳＢメモリ５２１が接続されたら、ＤＳＰ５は、ＵＳＢメモリ５２１に記憶されている２つのファイル「Ｂ.ｗｍａ」、「Ｄ.ｗｍａ」を読み込み、「Ｂ.ｗｍａ」に「Ｕ−ＩＤ１」、「Ｄ.ｗｍａ」に「Ｕ−ＩＤ２」と認識ＩＤを付加する。このとき、ＤＳＰ５は、内蔵メモリ５１に記憶されている３つのファイルを認識ＩＤを付加して、すでに記憶している。尚、ＤＳＰ５は、再び内蔵メモリ５１からファイルを読み込み、認識ＩＤを付加してもよい。
【００４２】
そして、システムマイコン２は、内蔵メモリ５１に記憶されているコンテンツ（ファイル）のコンテンツ識別情報をＤＳＰ５から取得し、アルファベット順で、「Ａ.ｗｍａ（Ｍ−ＩＤ１）／Ｃ.ｗｍａ（Ｍ−ＩＤ２）／Ｅ.ｗｍａ（Ｍ−ＩＤ３）」のようにコンテンツの一覧を作成する。同様に、システムマイコン２は、ＵＳＢメモリ５２１に記憶されているコンテンツ（ファイル）のコンテンツ識別情報をＤＳＰ５から取得し、アルファベット順で、「Ｂ.ｗｍａ（Ｕ−ＩＤ１）／Ｄ.ｗｍａ（Ｕ−ＩＤ２）」のようにコンテンツの一覧を作成する。
【００４３】
システムマイコン２は、これら２つのコンテンツの一覧を一つのコンテンツの一覧としてデータ統合し、アルファベット順でソートする（ソート処理）。ソート処理の結果、「Ａ.ｗｍａ（Ｍ−ＩＤ１）／Ｂ.ｗｍａ（Ｕ−ＩＤ１）／Ｃ.ｗｍａ（Ｍ−ＩＤ２）／Ｄ.ｗｍａ（Ｕ−ＩＤ２）／Ｅ.ｗｍａ（Ｍ−ＩＤ３）」のようなコンテンツの一覧を作成する。そして、システムマイコン２は、このソート処理されたコンテンツの一覧を表示部１０に表示させる。
【００４４】
また、このとき、システムマイコン２は、ＵＳＢメモリ５２１接続前のコンテンツの一覧「Ａ.ｗｍａ（Ｍ−ＩＤ１）／Ｃ.ｗｍａ（Ｍ−ＩＤ２）／Ｅ.ｗｍａ（Ｍ−ＩＤ３）」と、ＵＳＢメモリ５２１接続後のコンテンツの一覧「Ａ.ｗｍａ（Ｍ−ＩＤ１）／Ｂ.ｗｍａ（Ｕ−ＩＤ１）／Ｃ.ｗｍａ（Ｍ−ＩＤ２）／Ｄ.ｗｍａ（Ｕ−ＩＤ２）／Ｅ.ｗｍａ（Ｍ−ＩＤ３）」とを保持している。システムマイコン２は、これらの２つのコンテンツの一覧の比較を行い、どの記憶媒体のファイルが追加され、そのファイルがどの位置にソートされたか判別する。
【００４５】
同様に、ＵＳＢメモリ５２１を接続解除した後、システムマイコン２は、ＵＳＢメモリ５２１の接続解除前のコンテンツの一覧「Ａ.ｗｍａ（Ｍ−ＩＤ１）／Ｂ.ｗｍａ（Ｕ−ＩＤ１）／Ｃ.ｗｍａ（Ｍ−ＩＤ２）／Ｄ.ｗｍａ（Ｕ−ＩＤ２）／Ｅ.ｗｍａ（Ｍ−ＩＤ３）」と、ＵＳＢメモリ５２１の接続解除後のコンテンツの一覧「Ａ.ｗｍａ（Ｍ−ＩＤ１）／Ｃ.ｗｍａ（Ｍ−ＩＤ２）／Ｅ.ｗｍａ（Ｍ−ＩＤ３）」とを保持している。システムマイコン２は、これらの２つのコンテンツの一覧の比較を行い、どの記憶媒体のファイルがコンテンツ一覧から削除され、そのファイルがどの位置にソートされていたか判別する。これらの判別処理をコンテンツ差分判別処理と称す。
【００４６】
[具体的な動作]
次に、コンテンツ一覧表示処理の具体的な動作について、図４のフローチャートを用いて説明する。
【００４７】
ＤＳＰ５がＵＳＢメモリ５２１のＵＳＢコントローラ５２への接続を認識した時、ＤＳＰ５がＵＳＢメモリ５２１のＵＳＢコントローラ５２からの接続解除を認識した時、又はＤＳＰ５内のセレクタによる音源の切り替えが行われた時に、このフローチャートの制御が始まる。
【００４８】
まず、ＤＳＰ５は、セレクタが、内蔵メモリ５１とＵＳＢメモリ５２１の音源を選択しているか否か判定する（ステップＳ１）。セレクタが、内蔵メモリ５１とＵＳＢメモリ５２１の音源を選択していない場合（ステップＳ１；Ｎｏ）、システムマイコン２が、ＣＤ又はＭＤのうち、セレクタが選択した音源のコンテンツの一覧を表示部１０に表示させ（ステップＳ１８）、処理が終了する。
【００４９】
セレクタが、内蔵メモリ５１とＵＳＢメモリ５２１の音源を選択している場合（ステップＳ１；Ｙｅｓ）、ＤＳＰ５は、内蔵メモリ５１からデジタルデータを読み込む（ステップＳ２）。システムマイコン２はＤＳＰ５の読み込み処理が完了するまで、表示部１０に「読み込み中」と表示させる（ステップＳ２；Ｎｏ→ステップＳ３）。
【００５０】
ＤＳＰ５がデジタルデータの読み込みを完了すると（ステップＳ２；Ｙｅｓ）、ＤＳＰ５は、当該デジタルデータの中に、コンテンツ（ファイル）があるか判定する（ステップＳ４）。判定の結果、当該デジタルデータの中に、コンテンツがある場合（ステップＳ４；Ｙｅｓ）、ＤＳＰ５とシステムマイコン２は、内蔵メモリ５１から読み出したコンテンツ（フォルダ／ファイル）の一覧を作成するコンテンツ一覧作成処理を行う（ステップＳ５）。
【００５１】
そして、ＤＳＰ５は、ＵＳＢメモリ５２１がＵＳＢコントローラ５２に接続されているか判定する（ステップＳ６）。判定の結果、ＵＳＢメモリ５２１がＵＳＢコントローラ５２に接続されていない場合（ステップＳ６；Ｎｏ）、システムマイコン２は、内蔵メモリ５１から読み出したコンテンツの一覧に基づいて、ソート処理を行い（ステップＳ１１）、ソートされたコンテンツの一覧を表示部１０に表示させる（ステップＳ１２）。
【００５２】
判定の結果、ＵＳＢメモリ５２１がＵＳＢコントローラ５２に接続されている場合（ステップＳ６；Ｙｅｓ）、ＤＳＰ５は、ＵＳＢメモリ５２１からデジタルデータを読み込む（ステップＳ７）。システムマイコン２はＤＳＰ５の読み込み処理が完了するまで、表示部１０に「読み込み中」と表示させる（ステップＳ７；Ｎｏ→ステップＳ８）。
【００５３】
ＤＳＰ５がデジタルデータの読み込みを完了すると（ステップＳ７；Ｙｅｓ）、ＤＳＰ５は、当該デジタルデータの中に、コンテンツ（ファイル）があるか判定する（ステップＳ９）。
【００５４】
判定の結果、当該デジタルデータの中に、コンテンツがない場合（ステップＳ９；Ｎｏ）、システムマイコン２は、内蔵メモリ５１から読み出したコンテンツの一覧に基づいて、ソート処理を行い（ステップＳ１１）、ソートされたコンテンツ（ファイル／フォルダ）の一覧を表示部１０に表示させる（ステップＳ１２）。
【００５５】
判定の結果、ＵＳＢメモリ５２１から読み出したデジタルデータの中に、コンテンツがある場合（ステップＳ９；Ｙｅｓ）、システムマイコン２は、ＵＳＢメモリ５２１から読み出したコンテンツ（フォルダ／ファイル）の一覧を作成するコンテンツ一覧作成処理を行う（ステップＳ１０）。
【００５６】
そしてシステムマイコン２は、内蔵メモリ５１から読み出したコンテンツの一覧と、ＵＳＢメモリ５２１から読み出したコンテンツの一覧とを一つのコンテンツの一覧としてデータ統合し、当該データ統合したコンテンツの一覧中のコンテンツをソートするソート処理を行い（ステップＳ１１）、ソートされたコンテンツ（ファイル／フォルダ）の一覧を表示部１０に表示させる（ステップＳ１２）。
【００５７】
ステップＳ４の判定の結果、内蔵メモリ５１から読み出したデジタルデータの中に、コンテンツがない場合（ステップＳ４；Ｎｏ）、ＤＳＰ５は、ＵＳＢメモリ５２１がＵＳＢコントローラ５２に接続されているか判定する（ステップＳ１３）。
【００５８】
判定の結果、ＵＳＢメモリ５２１がＵＳＢコントローラ５２に接続されていない場合（ステップＳ１３；Ｎｏ）、システムマイコン２は、表示部１０に「コンテンツなし」と表示させ（ステップＳ１７）、処理を終了する。
【００５９】
判定の結果、ＵＳＢメモリ５２１がＵＳＢコントローラ５２に接続されている場合（ステップＳ１３；Ｙｅｓ）、ＤＳＰ５は、ＵＳＢメモリ５２１からデジタルデータを読み込む（ステップＳ１４）。システムマイコン２はＤＳＰ５の読み込み処理が完了するまで、表示部１０に「読み込み中」と表示させる（ステップＳ１４；Ｎｏ→ステップＳ１５）。
【００６０】
ＤＳＰ５がデジタルデータの読み込みを完了すると（ステップＳ１４；Ｙｅｓ）、ＤＳＰ５は、当該デジタルデータの中に、コンテンツ（ファイル）があるか判定する（ステップＳ１６）。
【００６１】
判定の結果、当該デジタルデータの中に、コンテンツがある場合（ステップＳ１６；Ｙｅｓ）、システムマイコン２は、ＵＳＢメモリ５２１から読み出したコンテンツ（フォルダ／ファイル）の一覧を作成するコンテンツ一覧作成処理を行う（ステップＳ１０）。
【００６２】
そしてシステムマイコン２は、ＵＳＢメモリ５２１から読み出したコンテンツの一覧に基づいて、ソート処理を行い（ステップＳ１１）、ソートされたコンテンツ（ファイル／フォルダ）の一覧を表示部１０に表示させる（ステップＳ１２）。
【００６３】
判定の結果、ＵＳＢメモリ５２１から読み込んだデジタルデータの中に、コンテンツがない場合（ステップＳ１６；Ｎｏ）。システムマイコン２は、表示部１０に「コンテンツなし」と表示させ（ステップＳ１７）、処理を終了する。
【００６４】
[画面例]
次に、図５、図６の画面例を用いて、表示部１０に表示されるソーティングされたコンテンツの一覧について説明する。  
【００６５】
図５は、ＵＳＢメモリ５２１の接続前（コンテンツの一覧１０１）と、ＵＳＢメモリ５２１をＵＳＢコントローラ５２に接続した時（コンテンツの一覧１０２〜１０４）とにおいて、表示部１０に表示されるコンテンツの一覧の画面例である。図６は、ＵＳＢメモリ５２１をＵＳＢコントローラ５２から取り外した時（コンテンツの一覧１０５〜１０８）と、ＵＳＢメモリ５２１取り外し後（コンテンツの一覧１０８）とにおいて、表示部１０に表示されるコンテンツの一覧の画面例である。
【００６６】
内蔵メモリ５１は、フォルダ「J-POP single collection」、フォルダ「Rock single collection」、ファイル「ABC」、ファイル「Love song」、ファイル「Music of AAA」のコンテンツを記憶している。また、ＵＳＢメモリ５２１は、フォルダ「Classics」、フォルダ「Jazz」、フォルダ「R&B」、ファイル「Big」のコンテンツを記憶している。
【００６７】
先ず、ＵＳＢメモリ５２１の接続前のコンテンツの一覧１０１について説明する。ユーザの操作部１１からの操作等により、ＤＳＰ５内のセレクタが「内蔵メモリ５１とＵＳＢメモリ５２１の音源」を選択すると、コンテンツ識別情報表示装置１は、図４のフローチャートに示される「コンテンツ一覧表示処理」を行う。
【００６８】
その結果、表示部１０には、コンテンツの一覧１０１が表示される。このとき、ソート処理（図４のステップＳ１１）によって、コンテンツの一覧１０１は、フォルダ→ファイルの順番に、さらにフォルダとファイル、それぞれにおいてアルファベット順に並べ替えられて表示される。
【００６９】
次に、ＵＳＢメモリ５２１をＵＳＢコントローラ５２に接続した時のコンテンツの一覧１０２〜１０４について説明する。ユーザによって、ＵＳＢメモリ５２１がＵＳＢコントローラ５２に接続されたら、コンテンツ識別情報表示装置１は、図４のフローチャートに示される「コンテンツ一覧表示処理」を行う。
【００７０】
ＤＳＰ５とシステムマイコン２は、内蔵メモリ５１のコンテンツの一覧とＵＳＢメモリ５２１のコンテンツの一覧とを作成し、システムマイコン２は、これらのコンテンツの一覧をデータ統合し、当該データ統合したコンテンツの一覧中のコンテンツをソートするソート処理を行う（図４のステップＳ１１）。
【００７１】
システムマイコン２は、「コンテンツ差分判別処理」を行い、追加されたコンテンツのコンテンツ一覧における位置、コンテンツのファイル又はフォルダ名を判別する。具体的には、コンテンツの一覧１０２〜１０４において、追加されたコンテンツは、フォルダ「Class」、フォルダ「Jazz」、フォルダ「R&B」、ファイル「Big」である。
【００７２】
システムマイコン２は、表示部１０に、この追加されたコンテンツの名前の入ったバーに色を付けさせる。また、表示部１０に、このバーを右から左に同時にシフトするように表示させる（コンテンツの一覧１０２〜１０４）。
【００７３】
また、システムマイコン２は、シフト時またはシフト完了後（コンテンツの一覧１０４）、当該バーの右端に「ＵＳＢ」と表示部１０に表示させる。また、ＵＳＢメモリ５２１接続中は、色分け表示させる。
【００７４】
これらのバーのシフト表示により、ＵＳＢメモリ５２１に記憶されているコンテンツの一覧と、内蔵メモリ５１に記憶されているコンテンツの一覧とが経時的に統合する。そのため、ユーザは、これらのコンテンツの一覧が、視覚的に統合しているように見える。また、統合後、どのコンテンツがＵＳＢに記憶されているのか確認できる。
【００７５】
次に、ＵＳＢメモリ５２１をＵＳＢコントローラ５２から取り外した時のコンテンツの一覧１０５〜１０８について説明する。ユーザによって、ＵＳＢメモリ５２１がＵＳＢコントローラ５２から取り外されたら、コンテンツ識別情報表示装置１は、図４のフローチャートに示される「コンテンツ一覧表示処理」を行う。
【００７６】
ＤＳＰ５とシステムマイコン２は、内蔵メモリ５１のコンテンツの一覧を作成し、システムマイコン２は、当該コンテンツの一覧中のコンテンツをソートするソート処理を行う（図４のステップＳ１１）。そして、システムマイコン２は、「コンテンツ差分判定処理」を行い、削除されたコンテンツのコンテンツ一覧における位置、コンテンツのファイル又はフォルダ名を判別する。具体的には、コンテンツの一覧１０５〜１０８において、削除されたコンテンツは、フォルダ「Class」、フォルダ「Jazz」、フォルダ「R&B」、ファイル「Big」である。
【００７７】
システムマイコン２は、表示部１０に、ＵＳＢメモリ取外し前の画面（コンテンツ一覧１０４、１０５）に表示されている、削除されたコンテンツのバーを左から右にシフトするように表示させる（コンテンツ一覧１０５〜１０８）。そして、シフト完了後、ＵＳＢメモリ５２１の接続前のコンテンツの一覧１０１と同じコンテンツの一覧（コンテンツの一覧１０８）を表示部１０に表示させる。
【００７８】
これらのバーのシフト表示により、ＵＳＢメモリ５２１に記憶されているコンテンツの一覧が、内蔵メモリ５１とＵＳＢメモリ５２１とに記憶されているコンテンツの一覧から経時的に分離し、ＵＳＢメモリ５２１に記憶されているコンテンツの一覧は消える。そのため、ユーザは、これらのコンテンツの一覧が、視覚的に分離しているように見える。
【００７９】
また、図５、図６に示された、ＵＳＢメモリ５２１をＵＳＢコントローラ５２に接続した時のコンテンツの一覧１０２〜１０４と、ＵＳＢメモリ５２１をＵＳＢコントローラ５２から取り外した時のコンテンツの一覧１０５〜１０８とにおいて、ＵＳＢメモリ５２１の接続により利用可能となったコンテンツ又はＵＳＢ５２１メモリの取り外しにより利用不可となったコンテンツの名前の入ったバーが同時にシフトしていくとしたが、シフトのタイミングをソート順にずらしてもよい。具体例を図７、図８に示す。
【００８０】
図７、図８は、図５、図６と同様、ＵＳＢメモリ５２１の接続前（コンテンツの一覧１１１）と、ＵＳＢメモリ５２１をＵＳＢコントローラ５２に接続した時（コンテンツの一覧１１２〜１１４）と、ＵＳＢメモリ５２１をＵＳＢコントローラ５２から取り外した時（コンテンツの一覧１１５〜１１８）と、ＵＳＢメモリ５２１取り外し後（コンテンツの一覧１１８）とにおいて、表示部１０に表示されるコンテンツの一覧の画面例である。
【００８１】
コンテンツの一覧１１２〜１１４において、「Classics」、「Jazz」、「R&B」、「Big」の順番に右から左にシフトする。また、コンテンツの一覧１１５〜１１８において、「Classics」、「Jazz」、「R&B」、「Big」の順番に左から右にシフトする。
【００８２】
また、バーを右から左にシフトさせる代わりに、バーが徐々に現れるように表示させてもよい。そして、バーを右から左にシフトさせる代わりに、バーが徐々に消えていくように表示させてもよい。
【００８３】
これらのバーの表示により、ユーザは、ＵＳＢメモリ５２１に記憶されているコンテンツの一覧と、内蔵メモリ５１に記憶されているコンテンツの一覧とが、視覚的に統合しているように見える。また、ユーザは、ＵＳＢメモリ５２１に記憶されているコンテンツの一覧が、内蔵メモリ５１とＵＳＢメモリ５２１とに記憶されているコンテンツの一覧から、視覚的に分離しているように見える。
【００８４】
尚、内蔵メモリ５１から読み出したコンテンツの一覧と、ＵＳＢメモリ５２１から読み出したコンテンツの一覧とに基づくソート処理（図４のステップＳ１１）において、内蔵メモリ５１とＵＳＢメモリ５２１とに同名のフォルダがある場合の処理を図９の画面例を用いて説明する。
【００８５】
内蔵メモリ５１は、フォルダ「J-POP single collection」を記憶しており、フォルダ「J-POP single collection」内には、ファイル「few ABC」、ファイル「AAA!」、ファイル「One Day」が記憶されている。そして、ＵＳＢメモリ５２１は、フォルダ「J-POP single collection」を記憶しており、フォルダ「J-POP single collection」内には、ファイル「I remember CCC」、ファイル「Tree」、ファイル「Say AA」、ファイル「I Want  DD」、ファイル「TONIGHT!!」、ファイル「Around the AA」が記憶されている。
【００８６】
コンテンツの一覧１２３に示すように、内蔵メモリ５１とＵＳＢメモリ５２１とに同名のフォルダ「J-POP single collection」１２１、１２２がある場合、この２つのフォルダ１２１、１２２を統合し、各フォルダ内に記憶されているファイルをアルファベット順にソートして表示させる。また、内蔵メモリ５１に記憶されているコンテンツの名前の入ったバーの右端には「ＭＥＭ」、ＵＳＢメモリ５２１に記憶されているコンテンツの名前の入ったバーの右端には「ＵＳＢ」と表示させる。
【００８７】
以上、本実施の形態によれば、コンテンツ識別情報表示装置１は、コンテンツを記憶しているＵＳＢメモリ５２１（外部記憶媒体）を認識し、ＵＳＢメモリ５２１に記憶されているコンテンツの一覧を取得する。そして、すでに表示している内蔵メモリ５１に記憶されているコンテンツの一覧と、取得したＵＳＢメモリ５２１に記憶されているコンテンツの一覧とを経時的に統合して表示する。そのため、ユーザは、各記憶媒体に対応するコンテンツ一覧を切り替えて表示させる必要がなく、すでに表示されている内蔵メモリ５１に記憶されているコンテンツとＵＳＢ５２１に記憶されているコンテンツとの一覧を視覚的に確認できる。
【００８８】
よって、コンテンツを記憶した外部記憶媒体を認識するコンテンツ識別情報表示装置１において、ユーザの使い勝手を向上することができる。
【００８９】
また、コンテンツ識別情報表示装置１が、ＵＳＢメモリ５２１を認識解除するとき、前記統合したコンテンツの一覧から、ＵＳＢメモリ５２１に記憶されているコンテンツの一覧を経時的に分離して表示する。そのため、ユーザは、各記憶媒体に対応するコンテンツ一覧を切り替えて表示させる必要がなく、ＵＳＢメモリ５２１に記憶されているコンテンツの一覧を分離したコンテンツの一覧を視覚的に確認できる。
【００９０】
よって、コンテンツを記憶した外部記憶媒体を認識解除するコンテンツ識別情報表示装置１において、ユーザの使い勝手を向上することができる。
【００９１】
[変形例]
尚、本実施例において、コンテンツ識別情報表示装置１は、内蔵メモリ５１のコンテンツの一覧とＵＳＢメモリ５２１のコンテンツの一覧とを統合し、表示部１０に表示させる例を示したが、本発明はこれに限定されるものではない。
【００９２】
例えば、コンテンツ識別情報表示装置１は、内蔵メモリ５１のコンテンツの一覧と、ＵＳＢメモリ５２１のコンテンツの一覧と、ＣＤのコンテンツの一覧と、ＭＤのコンテンツの一覧とを統合し、表示部１０に表示させてもよい。
【００９３】
具体的には、ＵＳＢコントローラ５２にＵＳＢメモリ５２１が接続され、ＭＤメカ部９にＭＤが格納され、コンテンツ一覧表示として、内蔵メモリ５１のコンテンツの一覧と、ＵＳＢメモリ５２１のコンテンツの一覧と、ＭＤのコンテンツの一覧とを統合したコンテンツの一覧が表示部１０に表示されている場合に、ＣＤメカ部３にＣＤが格納されると、コンテンツ識別情報表示装置１は、すでに表示部１０に表示されているコンテンツの一覧と、ＣＤに記憶されているコンテンツの一覧とを経時的に統合して表示する。
【００９４】
尚、チューナー、ＨＤＤ等、オーディオ機器について考えられる全セレクタを対象に、どのような組み合わせで一覧を作成してもよい。
【図面の簡単な説明】
【００９５】
【図１】コンテンツ識別情報表示装置のブロック図。
【図２】ＵＳＢメモリ接続前のコンテンツ一覧表示処理の概要図。
【図３】ＵＳＢメモリ接続後のコンテンツ一覧表示処理の概要図。
【図４】コンテンツ一覧表示処理のフローチャート図。
【図５】ＵＳＢ接続時のコンテンツの一覧表示画面例１。
【図６】ＵＳＢ接続解除時のコンテンツの一覧表示画面例１。
【図７】ＵＳＢ接続時のコンテンツの一覧表示画面例２。
【図８】ＵＳＢ接続解除時のコンテンツの一覧表示画面例２。
【図９】コンテンツの一覧の表示画面例とイメージ図（同一名称のフォルダが有る場合）。
【符号の説明】
【００９６】
１        コンテンツ識別情報表示装置
２        システムマイコン
３        ＣＤメカ部
４        アナログセレクタ
５        ＤＳＰ
６        ＡＤＣ
７        ＤＡＣ
８        アンプ部
９        ＭＤメカ部
１０      表示部
１１      操作部
１２      スピーカ
５１      内蔵メモリ
５２      ＵＳＢコントローラ
５２１    ＵＳＢメモリ
Ｄａ      アナログの音楽信号
Ｄｄ      デジタルの音楽信号
【図１】
2008197718.tif 000003
【図２】
2008197718.tif 000004
【図３】
2008197718.tif 000005
【図４】
2008197718.tif 000006
【図５】
2008197718.tif 000007
【図６】
2008197718.tif 000008
【図７】
2008197718.tif 000009
【図８】
2008197718.tif 000010
【図９】
2008197718.tif 000011